(57)【要約】【課題】  人体伝送システムにおいて、人体に装着する第１のデータ通信器の消費電力の増加や、第１のデータ通信器の大型化を招くことなく、第１のデータ通信器の電池の消耗を通知することができる人体伝送システムを提供する。【解決手段】  人体に接する電極を備えた第１のデータ通信器１０と、人体が接触しうる接触電極を備え前記第１のデータ通信器とデータ通信を行う第２のデータ通信器３０とを有する通信システムにおいて、第１のデータ通信器１０は自身を動作させる電池１４の残量を検出する電池残量検出手段７０と、そこから得た電池残量情報Ｄ１を送信する電池残量情報送信手段とを有し、第２のデータ通信器３０は、電池残量情報Ｄ１を受信する電池残量情報受信手段と、受信した電池残量情報Ｄ１に基づいて電池の残量状態を表示する表示手段６０とを有する【選択図】図１
2005159684.tif 000002
【特許請求の範囲】
【請求項１】
人体に接する電極を備えた第１のデータ通信器と、前記人体が接触しうる接触電極を備え前記第１のデータ通信器とデータ通信を行う第２のデータ通信器とを有する通信システムにおいて、前記第１のデータ通信器は自身を動作させる電池の残量を検出する電池残量検出手段と、該電池残量検出手段から得た電池残量情報を送信する電池残量情報送信手段とを有し、前記第２のデータ通信器は、前記電池残量情報を受信する電池残量情報受信手段と、受信した電池残量情報に基づいて電池の残量状態を表示する表示手段とを有することを特徴とする通信システム。
【請求項２】
前記電池残量検出手段は、第１のデータ通信器の動作保証電圧より高い第１の基準電圧と、該第１の基準電圧と前記保証電圧との間に第２の基準電圧が設定され、電池の残量が前記第１の基準電圧に達したときに電池残量情報を送信し、電池の残量が前記第２の基準電圧に達したときに第１のデータ通信器をリセットすることを特徴とする請求項１記載の通信システム。
【請求項３】
前記電池残量検出手段は、電池電圧の揺らぎの最下電圧に基づいて電池の残量を検出することを特徴とする請求項１または請求項２記載の通信システム。
【発明の詳細な説明】
【技術分野】
【０００１】
本発明は、人体を信号伝送経路とする通信システムに関するものである。
【背景技術】
【０００２】
一種の通信システムとして、特許第３３１９４６２号公報に示される如く、人体を信号伝送経路とするものがある（以下、人体伝送システムと称する）。基本構成は本発明の構成と共通するので、本発明の実施形態の図１乃至図３を参照して説明する。
【０００３】
これは、通信用の電極を備えた２つのデータ通信器を有して構成されるものであり、一方のデータ通信器（第１のデータ通信器１０）を、それに設けられた電極１１，１２が人体Ｈの一部に接するように取り付け、他方のデータ通信器（第２のデータ通信器３０）を機器５０に組み込み、第２のデータ通信器３０の電極（タッチ電極と称する）３１に人体Ｈを接触させることにより、第１のデータ通信器１０と第２のデータ通信器３０との間で、電極１１、人体Ｈ、電極３１を信号伝送経路として通信するシステムである。ここで、電極１１は人体Ｈを介してタッチ電極（接触電極）３１と電気的接続される信号電極として作用し、他方の電極１２は人体Ｈ、大地Ｇ，グランド線５４を介して第２のデータ通信器３０の回路グランドと電気的接続される接地電極（基準電極）として作用する（図１参照）。
【０００４】
また、第２のデータ通信器３０は、タッチ電極３１への人体Ｈの接触を検知するタッチセンサ３２と、タッチセンサ３２の検出信号に応じて通信開始の指示をするスタート信号を発生する信号送信器３３を有し、また第１のデータ通信器１０は、スタート信号を検出する信号検出器２０を有する。そして、第２のデータ通信器３０は、タッチセンサ３２が人体Ｈの接触を検知したときにスタート信号を発生し、第１のデータ通信器１０は、このスタート信号を検知して通信を開始するようにしている。さらに第１のデータ通信器１０と第２のデータ通信器３０は互いに双方向通信ができるように、各々送受信を切り替えることができる構成を有している（図２、図３参照）。
【０００５】
これらの制御は第１のデータ通信器１０、第２のデータ通信器３０の各々においてコントローラ１６，３６によって行われる。第１のデータ通信器１０では、コントローラ１６は変調器１７や復調器１８の制御、データメモリ１５とのデータ読み書き制御、またこれらの切替操作を行うスイッチ２１，２２の制御、データの表示を行うディスプレイ２４の制御等を行う。もう一方の第２のデータ通信器３０では、コントローラ３６は変調器３７や復調器３５の制御、またこれらの切替操作を行うスイッチ４１，４２の制御、機器５０のデータメモリ５２とのデータ授受のためのインターフェース４４等の制御等を行う。ここで、インターフェース４４は機器５０の電源５１から、第２のデータ通信器３０内の回路への電源供給の役割ももつ。尚、１９、３９は回路グランドである。
【０００６】
ここで、人体Ｈに装着されて携行される第１のデータ通信器１０は、上記の各構成（回路）に上記動作を行わせるための電源となる電池１４を備えている。そして、この電池１４が消耗すると、上記動作が行われなくなるとともに誤動作を招く恐れがある。そこで、電池の消耗を使用者に通知するための表示機能が必要となるが、表示機能を設けることは、消費電力の増加を招き電池の消耗につながる。また、第１のデータ通信器１０の大型化を招く要因にもなる。
【特許文献１】特許第３３１９４６２号公報
【発明の開示】
【発明が解決しようとする課題】
【０００７】
本発明は、上記従背景技術に鑑みて発明されたものであり、人体伝送システムにおいて、人体に装着する第１のデータ通信器の消費電力の増加や、第１のデータ通信器の大型化を招くことなく、第１のデータ通信器の電池の消耗を通知することができる人体伝送システムを提供することにある。
【課題を解決するための手段】
【０００８】
上記課題を解決するために、本発明は、人体に接する電極を備えた第１のデータ通信器と、前記人体が接触しうる接触電極を備え前記第１のデータ通信器とデータ通信を行う第２のデータ通信器とを有する通信システムにおいて、前記第１のデータ通信器は自身を動作させる電池の残量を検出する電池残量検出手段と、該電池残量検出手段から得た電池残量情報を送信する電池残量情報送信手段とを有し、前記第２のデータ通信器は、前記電池残量情報を受信する電池残量情報受信手段と、受信した電池残量情報に基づいて電池の残量状態を表示する表示手段とを有することを特徴とする。
【発明の効果】
【０００９】
本発明の通信システムにおいては、第１のデータ通信器に電池残量検出手段とその検出結果を第２のデータ通信器に送信し、第２のデータ通信器において第１のデータ通信器の電池残量の状態を表示するようにしたので、第１のデータ通信器の消費電力の増加や、第１のデータ通信器の大型化を招くことなく、第１のデータ通信器の電池残量の状況を操作者に通知することができる。
【発明を実施するための最良の形態】
【００１０】
本発明の実施の形態を図１乃至図４に基づいて説明する。
【００１１】
図１は、本発明の通信システムの全体図、図２は第１のデータ通信器１０の内部構成図、図３は第２のデータ通信器３０の内部構成図である。データの通信の流れは上述の通りである。ここで、第１のデータ通信器１０に、電池１４の残量を電池１４の電圧に基づいて検出する電池残量検出部（電池残量検出手段）７０を設けている。そして、この電池残量検出部７０から得た電池情報はコントローラ３６に入力される。そしてコントローラ３６内の電池残量情報送信手段（図示せず）において、第１のデータ通信器１０から第２のデータ通信器３０に送信されるデータＤに電池残量情報Ｄ１を含ませ、第２のデータ通信器３０に送信する。第２のデータ通信器３０ではこの電池残量情報Ｄ１を受信して、この電池残量情報Ｄ１に基づき電池１４の残量状況を表示部（電池残量表示手段）６０に表示する。
【００１２】
このようにすることにより、第１のデータ通信器１０の電池１４の電池残量の状況を、第２のデータ通信器３０で表示することができるので、第１のデータ通信器１０の消費電力の増加や、第１のデータ通信器の大型化を招くことなく、第１のデータ通信器の電池残量の状況を操作者に通知することができる。
【００１３】
ここで、表示部６０としては、ＬＥＤや液晶などが考えられる。例えば表示する電池残量状況については、所定の基準電圧を設定しておき、基準電圧より低ければＬＥＤを点灯させてもよいし、液晶で電圧値を表示させてもよいし、コードで表すようにしてもよい。
【００１４】
図３は、電池１４の電池電圧Ｖと時間Ｔとの関係を示すグラフである。これは、電池電圧Ｖは時間Ｔの経過とともに低下していく様子を示している。ここで、第１のデータ通信器１０の動作保証電圧をＶ３とし、それよりも高い電圧において第１の基準電圧Ｖ１を設定するとともに、第１の基準電圧Ｖ１と動作保証電圧Ｖ３との間に第２の基準電圧Ｖ２を設定する。
【００１５】
電池電圧Ｖは時間Ｔの経過とともに低下し、第１の基準電圧Ｖ１に達すると（ｔ１）、電池残量検出部７０がそれを検出し、第１のデータ通信器１０が送信するデータＤの電池情報Ｄ１に、電池が消耗していることを示すコードを入力する。第２のデータ通信器３０は受信したデータの電池残量情報Ｄ１を参照し電池消耗のコードを読み取って表示部６０に表示する。そして、電池交換をすることを使用者に通知する。ここで、Ｄ０は送信データそのものを意味する。
【００１６】
さらに、ここで電池が交換されず、第２の基準電圧Ｖ２に達すると、第１のデータ通信器１０の動作回路をリセットするようにする。このようにすることで、動作保証電圧Ｖ３に達することを事前に防止することができ、たとえ、第１のデータ通信器１０が使用不能になってもデータが誤って書き換えられたり、破壊する等の誤動作を起こさないようにすることができる。
【００１７】
図４は、図３と同様、電池１４の電池電圧Ｖ及び消費電流Ｉと時間Ｔとの関係を示すグラフであるが、特に、短期的な電圧変動及び電流変動を表している。
【００１８】
ここで、通信を行わないときは、第１のデータ通信器１０は待機状態にあり消費電流Iは最小である（Ｉ０）。人体Ｈが第２のデータ通信器３０の電極に接触し、第２のデータ通信器３０からのスタート信号を受信すると、第１のデータ通信器１０は起動し、データ受信状態となる。この時、復調器２５が起動しているため消費電流Ｉが増加し（Ｉ１）電池電圧Ｖが揺らぐ、次に第１のデータ通信器１０から第２のデータ通信器３０へのデータ通信が行われるときには、変調器１７が動作するため消費電流Ｉがまた変化し電池電圧Ｖが揺らぐ。
【００１９】
このように、電池電圧Ｖは、第１のデータ通信器１０の状態によって揺らぐ。ここで、電池電圧Ｖとして、揺らぎの最下電圧点を検出するようにする。この最下電圧値と基準電圧値Ｖ１，Ｖ２とを比較して、電池残量状況を送信するようにする。このようにすることで、より安全側で電池残量情報Ｄ１を第１のデータ通信器１０に送信することができ、誤動作をより的確に防止することができる。
【００２０】
尚、実際に最下電圧値を検出する他にも、あるポイントの電池電圧Ｖやその変化などから最下電圧点の電圧を予測して電池残量情報Ｄ１を送信するようにしてもよい。また、データ送信時に揺らぎが最も低下する場合は、電池残量情報Ｄ１を送信するタイミングを次回の通信時としてもよい。また、電池１４の電池残量検出部７０はコントローラ１６の内部で構成してもよい。
【図面の簡単な説明】
【００２１】
【図１】本願発明の実施形態の全体図。
【図２】本願発明の第１のデータ通信器のブロック図。
【図３】本願発明の第２のデータ通信器のブロック図。
【図４】本願発明の送信データの構造図。
【図５】電池電圧の変化を示す図。
【図６】電池電圧の揺らぎを示す図。
【符号の説明】
【００２２】
１０  第１のデータ通信器
１１第１のデータ通信器の電極（信号電極）
１２第１のデータ通信器の電極（接地電極）
１４  電池
３０第２のデータ通信器
３１第２のデータ通信器の接触電極（タッチ電極）
６０  表示部（電池残量表示手段）
７０  電池残量検出部（電池残量検出手段）
Ｄ    送信データ
Ｄ１  電池残量情報
Ｈ    人体
【図１】
2005159684.tif 000003
【図２】
2005159684.tif 000004
【図３】
2005159684.tif 000005
【図４】
2005159684.tif 000006
【図５】
2005159684.tif 000007
【図６】
2005159684.tif 000008